(57)【特許請求の範囲】
【請求項１】
１つの取出口を規定する１つの外周枠を有する容器体と、
前記外周枠に取り付け可能であり、前記取出口を開閉する１つのドア蓋と
を備え、
前記容器体は、前記外周枠が設けられた天面部を有し、
前記天面部は、平面視において短辺及び長辺を有する矩形状であり、
前記外周枠は、前記天面部において偏心した位置に設けられており、前記外周枠の延びる方向に沿って、少なくとも３つの被連結部を有し、
前記ドア蓋は、任意の前記被連結部に着脱自在に連結可能な連結部を有し、
前記連結部及び前記被連結部は、前記連結部を任意の前記被連結部に連結した状態で、前記ドア蓋が前記取出口を開閉すべく前記外周枠に対して回動可能なように構成されている、
保存容器。
【請求項２】
前記容器体は、天面側に開口を有するボックスをさらに有し、
前記天面部は、前記ボックスに対して着脱自在に取り付けられ、前記ボックスは、直方体状である、
請求項１に記載の保存容器。
【請求項３】
前記ドア蓋は、平面視において概ね回転対称な形状である、
請求項１又は２に記載の保存容器。
【請求項４】
前記ドア蓋は、平面視において概ね正多角形である、
請求項３に記載の保存容器。
【請求項５】
前記ドア蓋は、平面視において概ね正方形である、
請求項４に記載の保存容器。
【請求項６】
前記少なくとも３つの被連結部の１つに前記連結部を連結した場合の、前記外周枠に対する前記ドア蓋の回動軸線と、前記少なくとも３つの被連結部の別の１つに前記連結部を連結した場合の、前記外周枠に対する前記ドア蓋の回動軸線とは、概ね９０°の角度を為す、
請求項１から５のいずれかに記載の保存容器。
【請求項７】
前記少なくとも３つの被連結部の１つに前記連結部を連結した場合の、前記外周枠に対する前記ドア蓋の回動軸線と、前記少なくとも３つの被連結部の別の１つに前記連結部を連結した場合の、前記外周枠に対する前記ドア蓋の回動軸線とは、概ね平行である、
請求項１から６のいずれかに記載の保存容器。
【請求項８】
前記連結部は、開口を規定する部位及び前記開口に挿入される挿入部の一方であり、前記被連結部は、他方である、
請求項１から７のいずれかに記載の保存容器。
【発明の詳細な説明】
【技術分野】
【０００１】
本発明は、食品等を保存しておくための保存容器に関する。
【背景技術】
【０００２】
従来より、食品等を保存しておくための保存容器として、開閉式のドア蓋が設けられたものが公知である。ドア蓋の開閉の態様には、様々なものがあり、例えば、回動式のものや、スライド式のものがある（特許文献１参照）。回動式のドア蓋の場合、保存容器内に保存されている物品の取出口を開閉すべく、ドア蓋が当該取出口を規定する外周枠に対して回動する。この種の保存容器は、開閉が容易であり、例えば、ライスストッカーやペットフードストッカー等として使用することができる。
【先行技術文献】
【特許文献】
【０００３】
【特許文献１】特開平１１−２９０２２８号公報
【発明の概要】
【発明が解決しようとする課題】
【０００４】
ところで、特許文献１に示される回動式のドア蓋は、回動軸が固定されており、一方向にしか開閉しない。このように、開閉方向が固定されているドア蓋の場合、取出口を介して保存容器内にアクセスしようとするときに、開いた状態のドア蓋が邪魔になることがある。例えば、取出口の右側にドア蓋の回動軸線が存在する場合に、保存容器の右側から取出口にアクセスしようとすると、ドア蓋が取出口の手前側に立ち上がっており、障壁となる。この問題を避けるためには、取出口に対して普段アクセスする側とは反対側に回動軸が位置するように保存容器を配置すればよいが、設置スペースの関係上、保存容器を必ずしもそのように配置することができるとは限らない。【０００５】
本発明は、開閉方向を変更することが可能なドア蓋を有し、様々な方向から取出口にアクセス可能な保存容器を提供することを目的とする。
【課題を解決するための手段】
【０００６】
本発明の第１観点に係る保存容器は、容器体と、ドア蓋とを備える。容器体は、取出口を規定する外周枠を有する。ドア蓋は、前記外周枠に取り付け可能であり、前記取出口を開閉する。前記外周枠は、前記外周枠の延びる方向に沿って、複数の被連結部を有する。前記ドア蓋は、任意の前記被連結部に着脱自在に連結可能な連結部を有する。前記連結部及び前記被連結部は、前記連結部を任意の前記被連結部に連結した状態で、前記ドア蓋が前記取出口を開閉すべく前記外周枠に対して回動可能なように構成されている。【０００７】
ここでは、保存容器の取出口の外周枠に、外周枠の延びる方向に沿って複数の被連結部が設けられる一方で、ドア蓋に、外周枠の任意の被連結部に着脱自在に連結可能な連結部が設けられる。そして、連結部を任意の被連結部に連結した状態では、ドア蓋が取出口を開閉すべく外周枠に対して回動する。従って、ドア蓋の連結部を様々な被連結部に取り付けることにより、ドア蓋を様々な方向から開閉することが可能になる。すなわち、ドア蓋の開閉方向を選択することができ、様々な方向から取出口にアクセス可能な保存容器が提供される。【０００８】
本発明の第２観点に係る保存容器は、第１観点に係る保存容器であって、前記外周枠は、前記外周枠の延びる方向に沿って、少なくとも３つの前記被連結部を有する。従って、ドア蓋の開閉方向を少なくとも３つの方向から選択することができる。【０００９】
本発明の第３観点に係る保存容器は、第１観点又は第２観点に係る保存容器であって、前記ドア蓋は、平面視において概ね回転対称な形状である。すなわち、ドア蓋は、例えば、平面視において略正方形、略長方形、略円形等の形状に構成され得る。【００１０】
本発明の第４観点に係る保存容器は、第３観点に係る保存容器であって、前記ドア蓋は、平面視において概ね正多角形である。【００１１】
本発明の第５観点に係る保存容器は、第４観点に係る保存容器であって、前記ドア蓋は、平面視において概ね正方形である。【００１２】
本発明の第６観点に係る保存容器は、第１観点から第５観点のいずれかに係る保存容器であって、前記複数の被連結部の１つに前記連結部を連結した場合の、前記外周枠に対する前記ドア蓋の回動軸線と、前記複数の被連結部の別の１つに前記連結部を連結した場合の、前記外周枠に対する前記ドア蓋の回動軸線とは、概ね９０°の角度を為す。【００１３】
ここでは、ドア蓋の連結部を外周枠の複数の被連結部の間で付け替えることで、ドア蓋を概ね９０°異なる方向から開閉することが可能になる。すなわち、概ね９０°異なる方向から取出口にアクセス可能な保存容器が提供される。【００１４】
本発明の第７観点に係る保存容器は、第１観点から第６観点のいずれかに係る保存容器であって、前記複数の被連結部の１つに前記連結部を連結した場合の、前記外周枠に対する前記ドア蓋の回動軸線と、前記複数の被連結部の別の１つに前記連結部を連結した場合の、前記外周枠に対する前記ドア蓋の回動軸線とは、概ね平行である。【００１５】
ここでは、ドア蓋の連結部を外周枠の複数の被連結部の間で付け替えることで、ドア蓋を概ね１８０°異なる方向から開閉することが可能になる。すなわち、概ね１８０°異なる方向から取出口にアクセス可能な保存容器が提供される。【００１６】
本発明の第８観点に係る保存容器は、第１観点から第７観点のいずれかに係る保存容器であって、前記連結部は、開口を規定する部位及び前記開口に挿入される挿入部の一方であり、前記被連結部は、他方である。【００１７】
ここでは、連結部と被連結部が、開口を規定する部位と当該開口に挿入される挿入部の態様で実現される。従って、互いに着脱自在に連結される連結部と被連結部とを簡易な構成で実現することができる。【００１８】
本発明の第９観点に係る保存容器は、第１観点から第８観点のいずれかに係る保存容器であって、前記容器体は、前記外周枠が設けられた天面部を有する。前記外周枠は、前記天面部において偏心した位置に設けられている。【００１９】
ここでは、取出口が保存容器の天面部において偏心した位置に形成される。この場合、設置スペースに対する取出口の位置は、天面部の配置される向きに依存することになる。そうすると、天面部の向きを取出口が所望の位置にくるように決めたとき、仮に天面部におけるドア蓋の開閉方向を選択できなければ、ドア蓋が望まない方向に開閉しかねない。しかしながら、ここでは、天面部に対するドア蓋の開閉方向を選択できるため、取出口の位置及びドア蓋の開閉方向をどちらも望むとおりに設定することが容易になる。
【発明の効果】
【００２０】
本発明によれば、ドア蓋の連結部を様々な被連結部に取り付けることにより、ドア蓋を様々な方向から開閉することが可能になる。すなわち、ドア蓋の開閉方向を選択することができ、様々な方向から取出口にアクセス可能な保存容器が提供される。
【図面の簡単な説明】
【００２１】
【図１】本発明の一実施形態に係る保存容器の外観斜視図。
【図２】（Ａ）保存容器の平面図。（Ｂ）保存容器の長辺側の側面図。（Ｃ）保存容器の短辺側の側面図。
【図３】ドア蓋が様々な方向に開く様子を説明する図。
【図４】（Ａ）ボックスの平面図。（Ｂ）ボックスの長辺側の側面図。（Ｃ）ボックスの短辺側の側面図。
【図５】（Ａ）天面部の平面図。（Ｂ）天面部の取出口に近い短辺側の側面図。（Ｃ）天面部の取出口から遠い短辺側の側面図。（Ｄ）天面部の長辺側の側面図。
【図６】天面部の底面図。
【図７】（Ａ）ドア蓋の平面図。（Ｂ）ドア蓋の取っ手に近い側の側面図。（Ｃ）ドア蓋の回動軸に近い側の側面図。（Ｄ）ドア蓋の別の側面図。
【図８】図５のＡ−Ａ線断面図。
【図９】ドア蓋の底面図。
【発明を実施するための形態】
【００２２】
以下、図面を参照しつつ、本発明の一実施形態に係る保存容器について説明する。
＜１．保存容器の全体構成＞
図１は、本実施形態に係る保存容器１の外観斜視図であり、図２は、保存容器１の平面図及び側面図である。なお、以下の説明では、図２のとおりに上下方向、短辺方向及び長辺方向を定義するとともに、これを基準として他の図面の説明も行うこととする。また、上側を天面側、下側を底面側と称することもある。
【００２３】
図１に示すように、保存容器１は、上部に取出口Ｓ１（図３参照）を有する容器体３と、この取出口Ｓ１を開閉するドア蓋２とを備える。保存容器１は、多目的に使用することができるが、後述するとおり気密性に優れるため、食品の保存に最適であり、例えば、ライスストッカーやペットフードストッカー等として使用することができる。また、図３に示すように、保存容器１の優れた特徴として、ドア蓋２は、容器体３に対する取り付け位置を変更可能であり、これにより、保存容器１の設置場所に併せて、ドア蓋２の開閉方向を調整することができる。以下、各部の構成について詳細に説明する。
【００２４】
＜２．各部の構成＞
＜２−１．容器体＞
容器体３は、天面側に開口Ｓ２（図４参照）を有するボックス３０と、この開口Ｓ２を塞ぐようにボックス３０に対し着脱自在に取り付けられる天面部４０とを有する。図４は、ボックス３０単体の平面図及び側面図である。同図に示すように、ボックス３０は、矩形状の底部３１と、底部３１の四辺に沿って四辺から起立する側壁部３２〜３５とからなる直方体状のコンテナである。側壁部３２〜３５のうち、短辺方向に沿うものが側壁部３２，３４であり、長辺方向に沿うものが側壁部３３，３５である。
【００２５】
図５は、天面部４０単体の平面図及び側面図である。同図に示すように、天面部４０は、矩形状の天面板４１と、天面板４１の四辺に沿って当該四辺からやや下方に延びる側壁部４２〜４５を有する。天面板４１には、取出口Ｓ１が形成されている。この取出口Ｓ１は、天面部４０をボックス３０に取り付けることでボックス３０の開口Ｓ２を塞いだときに、当該開口Ｓ２に代えて容器体３の内部空間へのアクセスを可能にするための開口である。取出口Ｓ１は、外周枠４１ａにより規定され、本実施形態では、正方形状である。なお、外周枠４１ａは、天面板４１の一部であるが、必ずしも天面板４１におけるその他の部位と明確に区別される部位ではない。天面板４１における外周枠４１ａとその他の部位とは、一体的に構成されていてもよいし、別体であってもよい。
【００２６】
本実施形態では、取出口Ｓ１は、天面板４１の中心から偏心した位置に、より具体的には、長辺方向の一方側に偏った位置に形成されている。なお、天面板４１の側壁部４２〜４５のうち、短辺方向に沿うものを側壁部４２，４４とし、特に取出口Ｓ１により近いものを側壁部４２とし、より遠いものを側壁部４４とする（図１及び図５参照）。また、残りの長辺方向に沿う側壁部４３，４５のうち、側壁部４２が左手にくるように配置したときに手前側にくるものを側壁部４３とし、奥側にくるものを側壁部４５とする（図１及び図５参照）。
【００２７】
外周枠４１ａには、外周枠４１ａの延びる方向に沿って、溝５３〜５５が形成されている。溝５３，５５は、外周枠４１ａの長辺方向に沿う部位に形成され、特に溝５３は、側壁部４３により近い部位に配置され、溝５５は、側壁部４５により近い部位に配置される。また、溝５４は、外周枠４１ａの短辺方向に沿う部位であって、側壁部４２からより遠い部位に配置される。これらの溝５３〜５５、ないしはこれらの溝５３〜５５を規定する部位は、各々同じ形状を有する。従って、ドア蓋２に形成されている後述される回動軸１０は、これらの溝５３〜５５の任意の１つに選択的に連結することができ、これにより、ドア蓋２の開閉方向を３方向の中から自由に選択することが可能になっている。この連結構造及び連結方法については、後述する。
【００２８】
図５に示すとおり、本実施形態では、側壁部４２〜４５の外周面は、側壁部４２の中央近傍を除き、全周方向に沿って平坦である。側壁部４２の中央近傍の部位（以下、突出部４２ａという）の外周面は、その他の部位の外周面よりもやや外側に突出している。この突出部４２ａの内側に形成される空間Ｓ３は、概ね人の指先が入る程度の厚みを有する。そして、当該空間Ｓ３に指を挿入して上方に向かって力を加えることにより、天面部４０を容易にボックス３０から取り外すことができるようになっている。
【００２９】
図６は、天面部４０の底面図である。同図に示すとおり、本実施形態に係る天面板４１の下面には、天面板４１の外周方向に沿ってパッキン６０が取り付けられている。より具体的には、天面板４１の下面には、互いに平行に天面部４０の外周方向に沿って延びる２本のガイドレール６１が形成されており、これらの２本のガイドレール６１の間にパッキン６０が配置されている。パッキン６０は、着脱式のものであっても、ガイドレール６１及び天面板４１に隙間なく一体化されていてもよい。パッキン６０は、天面部４０をボックス３０に取り付けたときに、ボックス３０の側壁部３２〜３５の上端のフランジ部分３６（図４参照）に外周方向全体に亘って接触し、密着する。従って、このパッキン６０により、ボックス３０と天面部４０との連結部分に隙間が生じず、気密性が保たれるようになっている。
【００３０】
なお、保存容器１のうちパッキン（パッキン６０に加え、後述するパッキン２８も含む）以外の部位は、例えば、ポリプロピレンや飽和ポリエステル等の硬質の樹脂材料により成形することができ、パッキンは、ゴムやエラストマー等の弾性材料（本実施形態では、シリコーン）により成形することができる。
【００３１】
図２及び図４を再び参照する。ボックス３０の側壁部３２，３４の上端付近の中央近傍には、側壁部３２，３４から外方向に突出した把持部３２ａ，３４ａが配置される。把持部３２ａ，３４ａには、下方が開放した空間Ｓ４が形成されている。空間Ｓ４は、人の指先が入る程度の厚みを有し、ここに指を引っ掛けることで、ボックス３０或いは保存容器１全体を容易に持ち運ぶことができる。
【００３２】
本実施形態に係るボックス３０は、ボックス３０の長辺方向の中央を貫く仮想面Ａ１（図４参照）及び短辺方向の中央を貫く仮想面Ａ２に対し、対称な形状を有する。その結果、天面部４０とボックス３０とは、側壁部３２を側壁部４２，４４のいずれと対応するようにも取り付けることができる。
【００３３】
＜２−２．ドア蓋＞
以下、天面部４０の取出口Ｓ１を開閉するためのドア蓋２について説明する。図７は、ドア蓋２単体の平面図及び側面図である。ドア蓋２は、正方形板状のドア本体２１と、ドア本体２１の四辺に沿って当該四辺からやや下方に延びる側壁部２２〜２５を有する。ドア本体２１は、取出口Ｓ１よりもやや大きい板状の部材である。
【００３４】
ドア本体２１の外周部のうち、所定の一辺に沿う部分の中央近傍の部位（以下、窪み部２１ａ）は、その他の部位よりもやや内側に窪んでいる。なお、ドア蓋２の側壁部２２〜２５のうち、窪み部２１ａに対応する辺に沿うものが側壁部２２であり、これに対向する辺に沿うものが側壁部２４である。また、残りの２辺に沿う側壁部２３，２５のうち、側壁部２２が右手にくるように配置したときに奥側にくるものを側壁部２３とし、手前側にくるものを側壁部２５とする。また、側壁部２２は、外周方向に沿って窪み部２１ａに対応する位置において切り欠かれている。
【００３５】
図７（Ｄ）に示すとおり、窪み部２１ａは、ドア本体２１のその他の部位に比べて、内側から外側に向かって上方へ傾斜している。その結果、窪み部２１ａの下方には、人の指先が入る程度の空間Ｓ５が形成されている。そして、当該空間Ｓ５に指を挿入して上方に向かって力を加えることにより、ドア本体２１を後述する回動軸１０に沿って容易に回動させ、これにより、取出口Ｓ１を開くことができる。この意味で、窪み部２１ａは、取っ手２１ａと呼ぶことができる。
【００３６】
ドア蓋２を回動させる回動軸１０は、側壁部２４に沿って形成されている。回動軸１０は、細長い円柱棒状である。側壁部２４は、この回動軸１０に対応する部位において外側へ向かってやや下方へ傾斜している。また、上述した天面部４０の溝５３〜５５を規定する部位には、溝５３〜５５の両端に軸受け部４８が形成されている。軸受け部４８は、回動軸１０を回動可能に受け取る部材である。
【００３７】
本実施形態では、各溝５３〜５５の両端の軸受け部４８は、当該溝の延びる方向に沿って当該溝の中央を貫く仮想面Ａ３（図５参照）に対し対称な形状を有している。図８は、図５のＡ−Ａ線断面図である。同図に示すとおり、本実施形態に係る軸受け部４８は、回動軸１０の断面形状よりもわずかに大きい円形穴を有する部材を、当該円形穴の側壁部分において当該円形穴が外部と連通するように切り欠いたような形状を有する。その結果、当該連通口Ｈ１を介して、回動軸１０を円形穴に挿入することができる（ただし、上記の切り欠きにより、ここでいう円形穴は完全な円形ではなくなっている）。図８の断面図において、この円形穴は、元の円の中心Ｐ１と連通口Ｈ１の両端Ｐ２，Ｐ３とを結ぶ２本の線の為す角度θは、１８０°よりも小さい。すなわち、連通口Ｈ１の幅は、回動軸１０の直径よりも狭い。しかしながら、回動軸１０を軸受け部４８の連通口Ｈ１に押し付けると、軸受け部４８及び回動軸１０が弾性変形し、回動軸１０は連通口Ｈ１を介して軸受け部４８の円形穴に挿入される。なお、連通口Ｈ１は、上方に向いて開口している。
【００３８】
上記の方法で、いずれかの溝５３〜５５に対応する一対の軸受け部４８に回動軸１０を連結すると、ドア蓋２全体が回動軸１０を介して回動可能となる。回動軸１０は、軸受け部４８に対し着脱自在であり、取り付け時と同様、軸受け部４８及び回動軸１０が弾性変形することで、軸受け部４８から取り外し可能である。従って、保存容器１の配置が変わり、それに伴いドア蓋２の天面部４０に対する開閉方向を変更する必要が生じた場合には、適宜開閉方向を調整することができる。
【００３９】
図９は、ドア蓋２の底面図である。同図に示すように、ドア蓋２にはパッキン２８が取り付けられている。その結果、ドア蓋２が天面部４０の外周枠４１ａに接している状態、すなわち、ドア蓋２が取出口Ｓ１を閉じている状態では、ドア蓋２と天面部４０との連結部分に隙間が生じず、気密性が保たれるようになっている。具体的には、本実施形態に係るパッキン２８は、ドア本体２１の下面において、ドア本体２１の外周方向に沿って取り付けられている。ドア本体２１の下面には、互いに平行にドア蓋２の外周方向に沿って延びる２本のガイドレール２９が形成されており、これらの２本のガイドレール２９の間にパッキン２８が配置されている。パッキン２８は、パッキン６０と同様、着脱式のものであっても、ガイドレール２９及びドア本体２１に隙間なく一体化されていてもよい。パッキン２８は、ドア蓋２を閉めた状態で、天面部４０の外周枠４１ａに外周方向全体に亘って接触し、密着する。
【００４０】
＜３．保存容器の使用方法＞
以上述べたとおり、ドア蓋２の回動軸１０は、容器体３の３つの溝５３〜５５の軸受け部４８に着脱自在に連結可能である。ユーザーは、保存容器１の設置場所や使用態様に合った開閉方向を選択し、当該開閉方向に対応する溝５３〜５５の軸受け部４８にドア蓋２を取り付ける。また、設置場所や使用態様が変われば、ドア蓋２を取り外して別の溝５３〜５５に取り付けることができる。
【００４１】
保存容器１の内部空間に被収納物を収納するときには、取出口Ｓ１を介して収納することもできるが、ボックス３０の開口Ｓ２を介して収納することもできる。後者の場合には、天面部４０をボックス３０から取り外して開口Ｓ２を開き、ここから被収納物を収納した後、再度天面部４０を閉じればよい。被収納物を保存容器１の内部空間に収納した後は、取っ手２１ａを持ってドア蓋２を回動軸１０周りに回動させることにより取出口Ｓ１を容易に開くことができ、当該取出口Ｓ１を介して被収容物を取り出すことができる。
【００４２】
なお、図２に示すように、本実施形態に係るドア蓋２は、取出口Ｓ１を閉じた状態から９０°以上回動可能に構成されている。従って、取出口Ｓ１を閉じた状態から９０°以上回動させた後、取っ手２１ａから指を離すと、そのまま開状態が維持される。その結果、取出口Ｓ１を介しての被収納物の出し入れが容易となっている。
【００４３】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００４４】
＜４−１＞
上記実施形態では、外周枠４１ａの延びる方向に沿って３つの被連結部（溝５３〜５５及び夫々に対応する軸受け部４８）が形成されていたが、ドア蓋２の連結部（回動軸１０）を連結する被連結部の数は、上述したものに限られない。例えば、溝５３〜５５及び軸受け部４８と同様の構造が外周枠４１ａの四辺に配置されていてもよいし、二辺にのみ配置されていてもよい。外周枠４１ａの二辺に溝及び軸受け部４８が形成される場合においては、溝５３〜５５のうちの任意の溝及びこれに対応する軸受け部４８を省略することができる。
【００４５】
＜４−２＞
ドア蓋２の形状及び取出口Ｓ１の形状は、上記実施形態のように正方形状に限られない。ただし、ドア蓋２の開閉方向を容易に選択可能な構造とするためには、ドア蓋２は概ね回転対称な形状であることが好ましい。例えば、円形や正多角形とすることができる。
【００４６】
上記実施形態では、ドア蓋２及び取出口Ｓ１は正方形状であり、被連結部（溝５３〜５５）の１つに連結部（回動軸１０）を連結した場合の、外周枠４１ａに対するドア蓋２の回動軸線と、被連結部（溝５３〜５５）の別の１つに連結部（回動軸１０）を連結した場合の、外周枠４１ａに対するドア蓋２の回動軸線とは、概ね９０°又は概ね１８０°を為すように構成されている。しかしながら、ドア蓋２及び取出口Ｓ１が正多角形であれば、例えば、取出口Ｓ１の各辺に沿って被連結部を形成することで、連結部と被連結部との付け替えにより、内角×整数の角度だけドア蓋の開閉方向を変更することができる。円形の場合にも、被連結部どうしが為す角度だけ開閉方向を変更することができる。
【００４７】
＜４−３＞
ドア蓋２を回動させるための構造は、上述したものに限られない。例えば、回動軸１０が天面部４０側に複数あり、いずれかの回動軸１０を回動可能に受け取る溝及び軸受け部４８がドア蓋２側に設けられていてもよい。或いは、回動軸１０及び天面部４０に、回動式に互いに噛み合う爪が設けられていてもよい。このように、ドア蓋２をドア枠である外周枠４１ａに対し回動式に連結可能である限り、ドア蓋２と天面部４０との連結構造は任意の態様とすることができる。
【符号の説明】
【００４８】
１  保存容器
２  ドア蓋
３  容器体
１０  回動軸（連結部）
３０  ボックス
４０  天面部
４１ａ  外周枠
４８  軸受け部（被連結部）
５３〜５５  溝（被連結部）
Ｓ１  取出口
【図１】
0006594314.tif 000002
【図２】
0006594314.tif 000003
【図３】
0006594314.tif 000004
【図４】
0006594314.tif 000005
【図５】
0006594314.tif 000006
【図６】
0006594314.tif 000007
【図７】
0006594314.tif 000008
【図８】
0006594314.tif 000009
【図９】
0006594314.tif 000010